(57)【特許請求の範囲】
【請求項１】
搬送方向に連続する連続用紙を搬送しながら当該連続用紙に所定の処理を施す連続用紙処理装置であって、連続用紙の用紙幅方向へ移動可能なピントラクターと、ピントラクターを移動させる移動・制御手段と、移動・制御手段にピントラクターの移動を指示する移動指示手段と、処理対象の連続用紙の用紙幅に応じてピントラクターを移動設定した新たな位置を設定位置として履歴データに記憶し、かつ履歴データ中の設定位置の使用頻度を記憶する履歴記憶手段とを備え、
移動・制御手段は移動指示手段によって指示される間においてピントラクターを移動させるとともに、履歴記憶手段に記憶した履歴データの中から移動開始時点のピントラクターの位置に近い順序で各設定位置を選んでピントラクターを停止させるか、あるいは履歴記憶手段に記憶した履歴データの中から使用頻度の多い順序で各設定位置を選んでピントラクターを停止させることを特徴とする連続用紙処理装置。
【請求項２】
移動・制御手段が連続用紙を搬送方向に沿って切断するスリッタおよびピントラクターを連続用紙の用紙幅方向へ移動させることを特徴とする請求項１に記載の連続用紙処理装置。
【請求項３】
移動・制御手段によって移動させたピントラクターの設定位置を履歴記憶手段に登録する位置登録手段を有することを特徴とする請求項１または２に記載の連続用紙処理装置。
【発明の詳細な説明】
【技術分野】
【０００１】
本発明は連続用紙処理装置に関し、連続用紙を順次に移送しながらその所定切断箇所を連続的に切断する技術に係るものである。
【背景技術】
【０００２】
従来、この種の連続用紙処理装置としては、例えば図５〜図９に示すものがある。図５において、装置の前部側に配置したブラシ１は連続用紙２をガイド板３に沿わせるものであり、ピントラクター４は連続用紙２を所定の搬送方向に移動させる搬送手段をなし、エンコーダー５によって用紙の送り量を計測する。
【０００３】
スリッタ６はディスク状のスリッタ上刃７とスリッタ下刃８を備えており、連続用紙２を搬送方向と直交する用紙幅方向の所定箇所において搬送方向に沿ってマージン部を切り落とすものであり、連続用紙２の幅方向の両側に配置されており、マージン部の幅に応じて連続用紙２の幅方向に移動させる。
【０００４】
バースター９は連続用紙２に予め形成されたミシン目において連続用紙２を単位用紙に切断するものであり、連続用紙２の移送方向に沿って、前ゴムローラー部１０とバーストロール部１１とセンサー部１２と後ゴムローラー部１３を順次に配置している。
【０００５】
前ゴムローラー部１０では上下に移動可能に配置する上前ゴムローラー１０ａが自重で下前ゴムローラー１０ｂに接しており、上前ゴムローラー１０ａおよび下前ゴムローラー１０ｂがピントラクター４と同一の周速で回転する。後ゴムローラー部１３では上下に移動可能に配置する上後ゴムローラー１３ａが下後ゴムローラー１３ｂとの間に微小間隙を設けて配置されており、上後ゴムローラー１３ａおよび下後ゴムローラー１３ｂが前ゴムローラー部１０よりも速い周速で回転する。
【０００６】
ピントラクター４および前ゴムローラー部１０により送り出される連続用紙２は、バーストロール部１１の上ロール１１ａおよび下ロール１１ｂの間を通り、センサー部１２の発光センサー１２ａと受光センサー１２ｂの間を通過し、後ゴムローラー部１３の上後ゴムローラー１３ａと下後ゴムローラー１３ｂの間に達する。
【０００７】
この際に、連続用紙２の先端が発光センサー１２ａと受光センサー１２ｂの間を通過して光軸を遮断することにより連続用紙２の先端位置をセンサー部１２で検知し、このタイミングでエンコーダー５によって用紙の送り量を計測し始める。
【０００８】
エンコーダー５で計測する用紙の送り量が単位用紙の天地寸法に合わせて予め設定した所定送り量に達すると、連続用紙２のミシン目がバーストロール部１１に対応する。このとき、前ゴムローラー部１０では、上前ゴムローラー１０ａが連続用紙２を介して下前ゴムローラー１０ｂに押圧され、後ゴムローラー部１３では上後ゴムローラー１３ａが連続用紙２を介して下後ゴムローラー１３ｂに押圧される。
【０００９】
そして、後ゴムローラー部１３が前ゴムローラー部１０よりも速い周速で回転することにより、両者の相対速度差の結果として前ゴムローラー部１０と後ゴムローラー部１３との間で連続用紙２を引っ張り合うことになり、バーストロール部１１が連続用紙２のミシン目に当接することでミシン目において連続用紙２が切断される。
【００１０】
この切断と同時に前ゴムローラー部１０および後ゴムローラー部１３は復動して初期状態に戻り、切断された単位用紙が排紙ローラー部１４によってコンベア（または落下式の紙受け板）１５に排出され、後続の連続用紙２が前ゴムローラー部１０によって移送されて、上述の動作が繰り返される。
【００１１】
この連続用紙処理装置をさらに詳細に説明する。図８および図９に示すように、ピントラクター４は、連続用紙２の両側に形成した用紙送り穴３１に係合するピン３２と、ピン３２を搬送方向へ駆動するチェーン駆動装置３３と、用紙送り穴３１とピン３２との離脱を防止するカバー３４とを備えている。カバー３４は連続用紙２を覆うセット位置と連続用紙２から離れた待機位置とにわたって揺動自在にヒンジ３５で支持している。
【００１２】
ピントラクター４は、トラクタガイドロッド３６で連続用紙２の用紙幅方向へ移動可能に支持しており、ネジ送り機構等からなるトラクタ送り装置３７で連続用紙２の用紙幅方向へ移動させる。
【００１３】
各スリッタ６はマージン部Ａの幅に応じて連続用紙２の用紙幅方向、つまり連続用紙２の搬送方向と直交する方向に移動可能にスリッタガイドロッド３８で支持しており、ネジ送り機構等からなるスリッタ送り装置３９で連続用紙２の用紙幅方向へ双方スリッタ６が同期して接近、離間するように移動する。
【００１４】
スリッタ６は手動操作用のスライド用レバー４０を有し、スライド用レバー４０の押し下げ操作によりスリッタ送り装置３９とスリッタ６との連動が解除され、人力によりスリッタ６がスリッタガイドロッド３８に沿って移動自在となる。スリッタ６には刃の位置を示すマーク４１を前面に表示しており、連続用紙２の切断箇所をマーク４１に位置合わせすることで、スリッタ上刃７およびスリッタ下刃８を連続用紙２の切断箇所に位置決めする。
【００１５】
図６および図７に示すように、操作パネル４４には、モニターランプ４５、液晶表示部４６、モード切替ボタン４７、テンキー４８、ファンクションキー４９、クリアボタン５０、スピードボタン５１ａ、５１ｂ、スピード表示ランプ５２、スタートボタン５３、ジョグボタン５４ａ、５４ｂ、ストップボタン５５、ガイドボタン５６、５７を配置している。
【００１６】
液晶表示部４６は、単位用紙の天地サイズ、処理枚数と各種のメッセージを表示し、各モニターランプ４５は点灯によって液晶表示部４６の表示状態を示す。モード切替ボタン４７はマニュアルモードとプリセットモードを切り替えるものであり、テンキー４８によって単位用紙の天地サイズを入力する。
【００１７】
ファンクションキー４９は他のボタンとの併用によってマージン幅の選択等の各種の設定を行い、クリアボタン５０の押圧操作によって処理枚数をクリアする。スピードボタン５１ａ、５１ｂは処理速度を設定するものであり、押圧操作によって例えば７段階に速度が変化し、一方のスピードボタン５１ａの押圧によって速度が遅くなり、他方のスピードボタン５１ｂの押圧によって速度が速くなり、設定した速度をスピード表示ランプ５２で表示する。
【００１８】
スタートボタン５３の押圧操作によって処理を開始し、ストップボタン５５の押圧操作によって処理を停止し、ジョグボタン５４ａ、５４ｂの押圧操作によって低速で機械が作動し、一方のジョグボタン５４ａの押圧操作によって連続用紙２が前進し、他方のジョグボタン５４ｂの押圧操作によって連続用紙２が後進する。
【００１９】
ガイドボタン５６、５７の押圧操作によって左右のピントラクター４が同期して移動し、一方のガイドボタン５６の押圧操作によって左右のピントラクター４が離間する方向に移動し、他方のガイドボタン５７の押圧操作によって左右のピントラクター４が接近する方向に移動する。
【００２０】
この連続用紙処理装置では、ピントラクター４のカバー３４を開けた状態で、ガイドボタン５６または５７を押圧操作してトラクタ送り装置３７を駆動し、トラクタガイドロッド３６に沿ってピントラクター４を用紙幅方向へ移動させて用紙幅に相当する位置に配置する。
【００２１】
そして、連続用紙２の用紙送り穴３１をピン３２に係合させてカバー３４を閉じ、連続用紙２をセットする。連続用紙２が定形サイズでマージン部Ａのマージン幅が予め登録されたものである場合には、操作パネル４４におけるボタン操作によるマージン幅を選択することで、スリッタ送り装置３９の駆動により双方のスリッタ６がスリッタガイドロッド３８に沿って接近、離間するように用紙幅方向へ移動して所定のマージン幅に対応する位置へ配置される。
【００２２】
連続用紙２のマージン部Ａのマージン幅を手動操作で設定する場合には、図８に示すように、スライド用レバー４０を押し下げ操作し、スリッタ送り装置３９とスリッタ６との連動を解除し、スリッタ６をスリッタガイドロッド３８に沿って移動させることで任意の切断箇所の位置へ移動させ、連続用紙２の切断箇所にマーク４１を位置合わせすることで、スリッタ上刃７およびスリッタ下刃８を連続用紙２の切断箇所に位置決めする。
【００２３】
このような連続用紙処理装置に係る先行技術文献としては特許文献１がある。これは用紙の切断サイズ、マージナルスリット位置等の用紙処理条件を自動的に登録可能とし、手動操作や事前のバーコード化に伴う煩雑さを解消するものである。
【００２４】
このため特許文献１では、処理対象となる用紙の処理条件、例えば切断サイズやマージナルスリット位置等の各種条件、に適合するよう用紙処理装置の切断ローラ部やトラクタ部等の各部を移動調整し、この調整後の用紙処理装置の状態を、前記各部の調整時の変位量を直接的もしくは間接的に、例えば各部の駆動源であるモータの回転量をポテンショメータで検出する等して検出し、この検出量を設定データとして制御部のメモリに登録している。
【００２５】
そして、この設定データに対応するコード番号等を登録時に設定しておき、このコード番号等を入力することで、登録された設定データに対応してモータ等が駆動され、特定された設定位置に各部が移動調整される。
【００２６】
また、他の先行技術文献としては特許文献２がある。これは、回転運動する排出フィンにより、用紙切断処理領域から排出される用紙の後端部を叩き落とすものであり、排出フィンの回転位置を検知する光学原点センサと、用紙送り速度を監視するエンコーダおよびエンコーダセンサと、用紙送り経路中の用紙の位置を検知する第２用紙センサとを備え、用紙が第２用紙センサの位置に達したときに、その時点の用紙送り速度に対して排出フィンがその時点であるべき位置から進んでいる、または遅れている量を算出し、その進み量または遅れ量を補正すべく排出フィンの回転速度を可変調整すべくＣＰＵで制御するものである。
【特許文献１】特開平６−２７８０９０号公報
【特許文献２】特開平１１−１９３１７３号公報
【発明の開示】
【発明が解決しようとする課題】
【００２７】
上述したように、従来の技術においては、連続用紙に対するスリッタの位置は、各種の連続用紙のマージン幅に応じて予め装置に設定されており、登録されたマージン幅の中から処理対象の連続用紙のマージン幅に対応するものを選択することにより、スリッタが自動的に所定位置に移動して位置決めされる。あるいは、特許文献１に記載するように、設定データに対応するコード番号等を入力することで、特定された設定位置に各部が移動調整される。
【００２８】
ところで、処理の対象となる連続用紙はその種類や処理方法が多数あり、予め登録した複数のデータのうちから処理しようとする連続用紙に対応する設定データを選択したり、設定データに対応するコード番号等を入力するためには、操作者が各種の連続用紙と設定データおよびコード番号との関連を別途の資料や自身の記憶において確認する必要があり、煩わしさがあった。このため操作者は手動操作によってスリッタを位置決めする場合が多かった。
【００２９】
しかし、自動的に位置設定を行う機能を有しながら、手動操作によってスリッタやピントラクタの位置合わせを行うことは非効率、不合理である。
本発明は上記した課題を解決するものであり、スリッタやピントラクタの位置合わせを自動的に行う機能を有効に活かすことができ、操作者の手動操作による位置合わせを効率的に行うことができ、連続用紙が特殊なサイズでそのマージン幅が装置に登録されていない場合や、定形の連続用紙を特殊なサイズに加工処理する場合などにおいて、スリッタやピントラクタを未登録の新たな位置に設定して処理動作を行った場合には、その設定位置をそのまま登録設定する機能を有する連続用紙処理装置を提供することを目的とする。
【課題を解決するための手段】
【００３０】
上記課題を解決するために、本発明の連続用紙処理装置は、搬送方向に連続する連続用紙を搬送しながら当該連続用紙に所定の処理を施す連続用紙処理装置であって、連続用紙の用紙幅方向へ移動可能なピントラクターと、ピントラクターを移動させる移動・制御手段と、移動・制御手段にピントラクターの移動を指示する移動指示手段と、処理対象の連続用紙の用紙幅に応じてピントラクターを移動設定した新たな位置を設定位置として履歴データに記憶し、かつ履歴データ中の設定位置の使用頻度を記憶する履歴記憶手段とを備え、移動・制御手段は移動指示手段によって指示される間においてピントラクターを移動させるとともに、履歴記憶手段に記憶した履歴データの中から移動開始時点のピントラクターの位置に近い順序で各設定位置を選んでピントラクターを停止させるか、あるいは履歴記憶手段に記憶した履歴データの中から使用頻度の多い順序で各設定位置を選んでピントラクターを停止させるものである。
【００３２】
また、移動・制御手段が連続用紙を搬送方向に沿って切断するスリッタおよびピントラクターを連続用紙の用紙幅方向へ移動させるものである。
【００３３】
また、移動・制御手段によって移動させたピントラクターの設定位置を履歴記憶手段に登録する位置登録手段を有するものである。
【発明の効果】
【００３４】
以上のように本発明によれば、操作者は移動指示手段を操作して移動・制御手段に処理手段の移動を指示するだけで、移動・制御手段が履歴記憶手段に記憶した各設定位置のそれぞれにおいて処理手段を一旦停止させるので、操作者は処理対象の連続用紙と一旦停止した設定位置とを実際に比較して視認しながら適切な設定位置を選択することができる。したがって、処理手段のスリッタやピントラクタの自動位置設定の機能を有効に活かしながら操作者が手動操作によって効率良く位置合わせを行うことができる。
【００３５】
また、処理手段のスリッタやピントラクタを履歴記憶手段の未登録の設定位置に配置した場合には、位置登録手段が当該位置を履歴記憶手段に登録することで次回の操作時には当該設定位置に効率良く位置合わせを行うことができる。
【発明を実施するための最良の形態】
【００３６】
以下、本発明の実施の形態を図面に基づいて説明する。図１において、本発明の連続用紙処理装置は、その基本的な構造は先に示したものと同様であるので、同符号を用いることで詳細な説明を省略する。
【００３７】
図１において、処理手段をなすピントラクター４は連続用紙２を所定の搬送方向に移動さて搬送するものであり、トラクタガイドロッド３６で連続用紙２の用紙幅方向へ移動可能に支持しており、移動・制御手段としてのネジ送り機構等からなるトラクタ送り装置３７で連続用紙２の用紙幅方向の設定位置へ移動させる。
【００３８】
ピントラクター４は、移動指示手段をなすガイドボタン５６、５７の押圧操作によって左右のピントラクター４が同期して移動し、一方のガイドボタン５６の押圧操作によって左右のピントラクター４が離間する方向に移動し、他方のガイドボタン５７の押圧操作によって左右のピントラクター４が接近する方向に移動する。
【００３９】
また、処理手段をなすスリッタ６は用紙幅方向の所定箇所において搬送方向に沿ってマージン部を切り落とすものであり、連続用紙２の用紙幅方向の両側に配置されており、マージン部の幅に応じて連続用紙２の用紙幅方向へ移動させる。
【００４０】
各スリッタ６は用紙の搬送方向と直交する用紙幅方向の設定位置へ移動するための移動・制御手段をなすスリッタ送り装置３９をそれぞれ別途に備えており、本体側に各スリッタ送り装置３９を個別に操作するための移動指示手段としての操作スイッチ５８を設けている。通常動作においてスリッタ６はピントラクター４の移動に伴って移動する。
【００４１】
また、連続用紙処理装置はＣＰＵ（図示せず）および履歴記憶手段としてのメモリ（図示せず）を操作パネル４４等に搭載しており、メモリに設定位置の履歴を登録するためのプログラムからなる位置登録手段を有している。
【００４２】
以下、上記した構成における作用を説明する。図２に示すように、連続用紙処理装置では、ピントラクター４のカバー３４を開けた状態で、ガイドボタン５６または５７を押圧操作してトラクタ送り装置３７を駆動し、トラクタガイドロッド３６に沿ってピントラクター４を用紙幅方向へ移動させて用紙幅に相当する設定位置に配置する。
【００４３】
このとき、図４に示すように、ガイドボタン５６または５７を操作する（Ｓ１）ことによって、ＣＰＵはガイドボタン５６または５７によって指示される間においてトラクタ送り装置３７の駆動用モータ（ピントラモータ）を駆動し（Ｓ２）、左右のピントラクター４をガイドボタン５６または５７によって指示される方向、つまり広がる方向もしくは狭まる方向へ移動させる。
【００４４】
ＣＰＵはメモリに設定位置の履歴データが登録されているか否かを判断し（Ｓ３）、履歴データが全く存在しない場合には、ガイドボタン５６または５７がＯＦＦになるまで（Ｓ４）駆動用モータを駆動して左右のピントラクター４を移動させる。
【００４５】
メモリに設定位置の履歴データが登録されている場合に、ＣＰＵはピントラクター４が履歴データの中の設定位置に達したか否かを判断し（Ｓ５）、設定位置に達するまで駆動用モータを駆動して左右のピントラクター４を移動させ、設定位置に達した時点で駆動用モータを停止させる（Ｓ６）。このとき、ピントラクター４の移動に伴って、スリッタ送り装置３９の駆動により双方のスリッタ６がスリッタガイドロッド３８に沿って接近、離間するように用紙幅方向へ移動する。
【００４６】
このピントラクター４が停止する設定位置は、移動開始時点のピントラクター４の位置から指示された方向において最も近い設定位置である。操作者はピントラクター４が停止した設定位置が適切である場合には後述する操作を行い、この設定位置が不適切である場合には、再びガイドボタン５６または５７を操作する。
【００４７】
このガイドボタン５６または５７の再操作によって、ＣＰＵは後述する操作がキャンセルされたとして再び上述したピントラクター４およびスリッタ６の移動を行う。ガイドボタン５６または５７の再操作を行わずに、ガイドボタン５６または５７の操作を継続し、所定時間の経過後にピントラクター４およびスリッタ６の移動を再開させることも可能である。
【００４８】
本実施の形態においてピントラクター４が停止する設定位置は、移動開始時点のピントラクター４の位置から指示された方向において近い順序で各設定位置に停止するが、履歴データの中で最も使用頻度の多い設定位置を最優先し、使用頻度の多い順序で各設定位置に停止させることもできる。
【００４９】
ピントラクター４が停止すると、ＣＰＵはピントラクター４が停止した位置がメモリに登録された設定位置であるか否かを改めて判断し（Ｓ７）、履歴データとして登録されていない設定位置である場合には現在の設定値を表示してバースター９による連続用紙２の切断ピッチの入力を指示する（Ｓ８）。この切断ピッチは用紙送り穴３１の数によって行う。
【００５０】
ピントラクター４が停止した位置が履歴データとして登録されている設定位置である場合には、この設定位置における切断ピッチとして複数データが存在するか否かを判断し（Ｓ９）、設定位置に対して複数の切断ピッチのデータがある場合は現在の設定値を表示するとともに複数の切断ピッチのデータを表示して選択を指示する（Ｓ１０）。設定位置のデータが単一である場合は現在の設定値を表示して切断ピッチの入力を指示する（Ｓ８）。
【００５１】
次に、切断ピッチの新たな設定値入力もしくは既存の設定値の選択が完了したか否かを判断し（Ｓ１１）、入力、選択が完了した場合は設定された設定位置および切断ピッチを新たに登録するか、もしくは履歴として保存し（Ｓ１２）、その後に移動設定処理を終了し、入力、選択が完了せずにキャンセルされた場合には（Ｓ１３）、登録もしくは履歴保存を行うことなく移動設定処理を終了する。この設定位置および切断ピッチの登録もしくは履歴保存は後述する処理動作の正常完了を確認した後に行ってもよい。
【００５２】
そして、ピントラクター４を設定位置に配置した状態で、図３に示すように、連続用紙２の用紙送り穴３１をピン３２に係合させてカバー３４を閉じ、連続用紙２をセットする。連続用紙２のマージン部Ａのマージン幅が予め登録されたものである場合には、この状態で処理を開始する。連続用紙２のマージン部Ａのマージン幅を変更する場合には、操作スイッチ５８を操作してスリッタ送り装置３９によりスリッタ６を所望の設定位置に移動させた後に処理を開始する。このスリッタ６の設定位置は履歴として登録、保存される。
【００５３】
上述した実施の形態では、処理手段としてのピントラクター４およびスリッタ６を同期して同時に連続用紙２の用紙幅方向へ移動させたが、ピントラクター４とスリッタ６を全く独立して移動させることも可能である。
【図面の簡単な説明】
【００５４】
【図１】本発明の実施の形態における連続用紙処理装置のピントラクターおよびスリッタを示す斜視図
【図２】同実施の形態における連続用紙処理装置のピントラクターおよびスリッタの位置決め操作を示す斜視図
【図３】同実施の形態における連続用紙処理装置のピントラクターおよびスリッタの位置決め操作を示す斜視図
【図４】同実施の形態における連続用紙処理装置のピントラクターおよびスリッタの位置決め操作を示すフローチャート図
【図５】従来の連続用紙処理装置の構成を示す模式図
【図６】同連続用紙処理装置のピントラクター、スリッタおよび操作パネルを示す正面図
【図７】同連続用紙処理装置の操作パネルを示す拡大図
【図８】同連続用紙処理装置のスリッタの位置決め操作を示す斜視図
【図９】同連続用紙処理装置のスリッタの位置決め操作を示す斜視図
【符号の説明】
【００５５】
２  連続用紙
４  ピントラクター
６  スリッタ
３０  連続用紙処理装置
３１  用紙送り穴
３２  ピン
３３  チェーン駆動装置
３４  カバー
３５  ヒンジ
３６  トラクタガイドロッド
３７  トラクタ送り装置
３８  スリッタガイドロッド
３９  スリッタ送り装置
４０  スライド用レバー
４１  マーク
４４  操作パネル
４５  モニターランプ
４６  液晶表示部
４７  モード切替ボタン
４８  テンキー
４９  ファンクションキー
５０  クリアボタン
５１ａ、５１ｂ  スピードボタン
５２  スピード表示ランプ
５３  スタートボタン
５４ａ、５４ｂ  ジョグボタン
５５  ストップボタン
５６、５７  ガイドボタン
５８  操作スイッチ
Ａ  マージン部
【図１】
0004703314.tif 000002
【図２】
0004703314.tif 000003
【図３】
0004703314.tif 000004
【図４】
0004703314.tif 000005
【図５】
0004703314.tif 000006
【図６】
0004703314.tif 000007
【図７】
0004703314.tif 000008
【図８】
0004703314.tif 000009
【図９】
0004703314.tif 000010